(57)【要約】【課題】小屋裏の換気を行うことができるとともに、締結作業の簡略化及びコスト削減を図ることのできるパラペットの連結構造及びパラペットの連結方法を提供する。【解決手段】建物本体１の上端部に屋根３の軒先部が接合され、この軒先部の表面側で建物本体１の上端部にパラペット２が立設され、このパラペット２と前記建物本体１とを連結してなるパラペット２の連結構造において、建物本体１の上端部裏面側に、パラペット２と連結するための締結穴１１２aが形成され、パラペット２の下端部裏面側に軒先部の換気を行う換気穴２１２aが、締結穴１１２aの締め付け位置に合わせて形成されている。【選択図】図１
2005194816.tif 000002
【特許請求の範囲】
【請求項１】
建物本体の上端部に屋根の軒先部が接合され、この軒先部の表面側で前記建物本体の上端部にパラペットが立設され、このパラペットと前記建物本体とを連結してなるパラペットの連結構造であって、
前記建物本体の上端部裏面側に、前記パラペットと連結するための締結穴が形成され、
前記パラペットの下端部裏面側に前記軒先部の換気を行う換気穴が、前記締結穴の締め付け位置に合わせて形成されていることを特徴とするパラペットの連結構造。
【請求項２】
請求項１に記載のパラペットの連結構造において、
前記パラペットの下端部と前記建物本体の上端部との連結部分における表面に補強材が設けられていることを特徴とするパラペットの連結構造。
【請求項３】
請求項１又は２に記載のパラペットの連結構造において、
前記パラペット及び前記建物本体の最表面に外装材が設けられていることを特徴とするパラペットの連結構造。
【請求項４】
請求項１〜３のいずれか一項に記載のパラペットの連結構造において、
前記パラペットは、框材を矩形枠状に組み立ててなる矩形枠の表裏両面に面材が設けられてなり、前記面材のうち軒先部が接合される裏面側の面材の下端部に前記換気穴が形成されていることを特徴とするパラペットの連結構造。
【請求項５】
建物本体の上端部に屋根の軒先部を接合し、この軒先部の表面側で前記建物本体の上端部にパラペットを立設し、このパラペットと前記建物本体とを連結するパラペットの連結方法であって、
前記建物本体の上端部裏面側に、前記パラペットと連結するための締結穴を形成しておき、
前記パラペットの下端部裏面側に前記軒先部の換気を行う換気穴を、前記締結穴の締め付け位置に合わせて形成することを特徴とするパラペットの連結方法。
【発明の詳細な説明】
【技術分野】
【０００１】
本発明は、建物本体の上端部に屋根の軒先部が接合され、この軒先部の表面側で前記建物本体の上端部にパラペットが立設され、このパラペットと前記建物本体とを連結してなるパラペットの連結構造及びパラペットの連結方法に関する。
【背景技術】
【０００２】
建物の屋上空間の有効利用を図るために、略水平な屋根面を備えたフラット屋根を建物本体の上に設けて歩行屋根としたり、屋根面を空調機の室外機やソーラーユニットの設置場所としたりすることが行われている。フラット屋根の周縁部には、通常、屋根面の端部から上方に立ち上がるパラペットが設けられている。
このようなパラペットは、例えば図３に示すように、周知のパネル工法による壁パネル６１と、この壁パネル６１の表面側に胴縁５３を介して取り付けられた外装材５２とを備えている。そして、建物本体５の外壁上にパラペット６を立設する場合は、建物本体５の外壁を構成する壁パネル５１に胴差ボルトＢによって連結するとともに、スクリュー釘（図示しない）等を斜め打ちすることによって固定している。詳細には、建物本体５の壁パネル５１の上端部裏面側にボルト締結穴５１aを形成し、パラペット６を構成する壁パネル６１の下端部表面側にボルト締結穴６１aを形成し、これらボルト締結穴５１a、６１aから胴差ボルトＢを挿入して胴差ボルトＢに螺合するナットＮを締結することにより、各壁パネル５１、６１を上下に連結している。
一方、パラペット６の上端部には笠木５４が設置され、パラペット６を構成する壁パネル６１の下端部裏面側には、小屋裏の換気を行うための換気穴６１b（図２の点線部分にも記載）が形成されており、この換気穴６１bを通じて、壁パネル６１内から笠木５４に抜ける換気通路が設けられている（例えば、特許文献１参照）。
【特許文献１】特開平１１−３２４２４２号公報
【発明の開示】
【発明が解決しようとする課題】
【０００３】
しかしながら、図３に示すように建物本体５の外壁を構成する壁パネル５１と、パラペット６を構成する壁パネル６１との連結に際して、外壁を構成する壁パネル５１のボルト締結穴５１aは上端部裏面側、パラペット６を構成する壁パネル６１のボルト締結穴６１bは下端部表面側に形成されているため、締結作業を建物の外側と内側との双方から行う必要があり、その作業が煩雑であった。
また、パラペット６を構成する壁パネル６１のボルト締結穴６１aは表面側に形成されているので、ボルト締結後、ボルト締結穴６１aをガセット合板５５等で塞ぐ必要があり、その手間がかかるとともに、このガセット合板５５上には外装材５２を取り付けるための釘等を直接打つことができず、ガセット合板５５上にさらに調整材（図示しない）等を取り付ける必要があった。その結果、コストが嵩む等の問題も生じていた。
【０００４】
本発明は、上記事情に鑑みてなされたもので、小屋裏の換気を行うことができるとともに、締結作業の簡略化及びコスト削減を図ることのできるパラペットの連結構造及びパラペットの連結方法を提供することを目的としている。
【課題を解決するための手段】
【０００５】
上記課題を解決するため、請求項１の発明は、例えば、図１、図２に示すように、建物本体１の上端部に屋根３の軒先部が接合され、この軒先部の表面側で前記建物本体１の上端部にパラペット２が立設され、このパラペット２と前記建物本体１とを連結してなるパラペット２の連結構造であって、
前記建物本体１の上端部裏面側に、前記パラペット２と連結するための締結穴１１２aが形成され、
前記パラペット２の下端部裏面側に前記軒先部の換気を行う換気穴２１２aが、前記締結穴１１２aの締め付け位置に合わせて形成されていることを特徴とする。
【０００６】
請求項１の発明によれば、建物本体１の上端部裏面側に、パラペット２と連結するための締結穴１１２aが形成され、パラペット２の下端部裏面側に軒先部の換気を行う換気穴２１２aが、締結穴１１２aの締め付け位置に合わせて形成されているので、この換気穴２１２aによって屋根３の軒先部における換気を行うことができるだけでなく、換気穴２１２aを締結穴として代用することができる。すなわち、これら換気穴２１２a及び締結穴１１２aを介して、建物本体１とパラペット２とを連結することができる。したがって、図３に示す従来のように、換気穴６１bの他に個別に締結穴６１aをパラペット６の下端部表面側に設ける必要がないので、作業の簡略化を図ることができる。また、建物本体１とパラペット２とを連結する際に、締結作業を建物の外側と内側との双方から行うことなく、建物の内側のみから行うことができるので、この点においても作業が容易となる。
また、図３の従来のようにパラペット６の表面側に締結穴６１aを形成する必要がないことから、締結後、その締結穴６１aを鋼板５５によって塞ぐ必要もなく、その手間を省くことができる。しかも、締結穴６１aを塞ぐために面積の大きな鋼板５５を取り付ける必要がないことから、外装材１２を取り付ける際に、鋼板５５上に釘等が位置することもないので、その取り付けをスムーズに行えコスト削減を図ることが可能となる。
【０００７】
請求項２の発明は、例えば、図１に示すように、請求項１に記載のパラペット２の連結構造において、
前記パラペット２の下端部と前記建物本体１の上端部との連結部分における表面に補強材（例えば、鋼板１５）が設けられていることを特徴とする。
【０００８】
請求項２の発明によれば、パラペット２の下端部と建物本体１の上端部との連結部分における表面に、例えば鋼板１５等の補強材が設けられているので、これによって連結部分における補強がなされる。
しかも、この補強材を、図３に示す従来のようにパラペット６の表面側に形成された締結穴６１aを塞ぐために、その面積を大きく形成する必要がない。これに伴って、外装材１２を釘等で打ち込む場合に影響を与えることがなく、取り付けをスムーズに行えコスト削減を図ることができる。
【０００９】
請求項３の発明は、例えば、図１に示すように、請求項１又は２に記載のパラペット２の連結構造において、
前記パラペット２及び前記建物本体１の最表面に外装材１２が設けられていることを特徴とする。
【００１０】
請求項３の発明によれば、パラペット２及び建物本体１の最表面に外装材１２が設けられているので、この外装材１２によって建物の外観品質の向上を図ることができる。
【００１１】
請求項４の発明は、例えば、図１に示すように、請求項１〜３のいずれか一項に記載のパラペット２の連結構造において、
前記パラペット２は、框材２１１を矩形枠状に組み立ててなる矩形枠の表裏両面に面材２１２が設けられてなり、前記面材２１２のうち軒先部が接合される裏面側の面材２１２の下端部に前記換気穴２１２aが形成されていることを特徴とする。
【００１２】
請求項４の発明によれば、パラペット２は框材２１１を矩形枠状に組み立ててなる矩形枠の表裏両面に面材２１２が設けられてなり、面材２１２のうち軒先部が接合される裏面側の面材２１２の下端部に換気穴２１２aが形成されているので、このようにパラペット２を予めパネル化し、さらに換気穴２１２aも形成しておくことによって、パラペット２と建物本体１との連結作業をスムーズに行うことができ、工期を短縮できる。
【００１３】
請求項５の発明は、例えば、図１、図２に示すように、建物本体１の上端部に屋根３の軒先部を接合し、この軒先部の表面側で前記建物本体１の上端部にパラペット２を立設し、このパラペット２と前記建物本体１とを連結するパラペット２の連結方法であって、
前記建物本体１の上端部裏面側に、前記パラペット２と連結するための締結穴１１２aを形成しておき、
前記パラペット２の下端部裏面側に前記軒先部の換気を行う換気穴２１２aを、前記締結穴１１２aの締め付け位置に合わせて形成することを特徴とする。
【００１４】
請求項５の発明によれば、建物本体１の上端部裏面側に、パラペット２と連結するための締結穴１１２aを形成しておき、パラペット２の下端部裏面側に軒先部の換気を行う換気穴２１２aを、締結穴１１２aの締め付け位置に合わせて形成するので、この換気穴２１２aによって屋根３の軒先部における換気を行うことができるだけでなく、換気穴２１２aを締結穴として代用することができる。すなわち、これら換気穴２１２a及び締結穴１１２aを介して、建物本体１とパラペット２とを連結することができる。したがって、図３に示す従来のように、換気穴６１bの他に個別に締結穴６１aをパラペット６の下端部表面側に設ける必要がないので、作業の簡略化を図ることができる。また、建物本体１とパラペット２とを連結する際に、締結作業を建物の外側と内側との双方から行うことなく、建物の内側のみから行うことができるので、この点においても作業が容易となる。
また、図３の従来のようにパラペット６の表面側に締結穴６１aを形成する必要がないことから、締結後、その締結穴６１aを鋼板５５によって塞ぐ必要もなく、その手間を省くことができる。しかも、締結穴６１aを塞ぐために面積の大きな鋼板５５を取り付ける必要がないことから、外装材１２を取り付ける際に、鋼板５５上に釘等が位置することもないので、その取り付けをスムーズに行えコスト削減を図ることが可能となる。
【発明の効果】
【００１５】
本発明に係るパラペットの連結構造及びパラペットの連結方法によれば、換気穴によって屋根の軒先部における換気を行うことができるだけでなく、この換気穴を締結穴に代用して、この換気穴と建物本体の上端部裏面側に形成した締結穴とによって、締結作業を行うことができる。よって、従来のように換気穴の他に締結穴をパラペットの下端部表面側に設ける必要がなく、作業の簡略化を図れる。また、締結作業を建物の内側のみから行うことができるのでこの点においても作業が容易となる。
さらに、従来のように表面側に設けた締結穴を塞ぐ必要がないことから、その手間を省け、また、これに伴い外装材の取り付けもスムーズに行えコスト削減を図ることができる。
【発明を実施するための最良の形態】
【００１６】
以下、本発明の実施の形態について図１、図２を参照して説明する。
図１は、本発明に係るパラペットの連結構造の一例を示す側断面図であり、図２は、図１中、外壁及びパラペットを裏面側から見た際の締結穴及び換気穴の位置関係を示した断面図である。
【００１７】
まず、本発明に係るパラペットの連結構造について説明する。
図１に示すように、建物本体１の上端部にパラペット２が立設されている。建物本体１は、周知のパネル工法によって構築されたものであり、外壁１０は壁パネル１１とこの壁パネル１１の表面側に胴縁１３を介して取り付けられた外装材１２とを備えている。また、壁パネル１１の裏面側には石膏ボード１４が取り付けられている。
壁パネル１１は框材１１１を矩形枠状に組み立ててなる矩形枠の表裏両面に合板等の面材１１２を取り付けてなるものである。
さらに、壁パネル１１の上端部裏面側には、該壁パネル１１と後述するパラペット２を構成する壁パネル２１とを連結するための締結穴１１２aが形成されている。すなわち、裏面の面材１１２に締結穴１１２aが形成されている。
外装材１２は、表面に所定間隔で縦横に多数のタイル１２aが貼り付けられており、これらタイル１２a間には目地１２bが形成されている。
【００１８】
パラペット２は、壁パネル２１と、この壁パネル２１の表面側に胴縁１３を介して取り付けられた外装材１２とを備えている。
壁パネル２１は框材２１１を矩形枠状に組み立ててなる矩形枠の表裏両面に合板等の面材２１２を取り付けてなるものである。そして、複数の壁パネル２１を横方向に接合することによって、パラペット２が構成されている。壁パネル２１の上端部には、パラペット２の長さ方向に長尺な頭繋ぎ材２２によって複数の壁パネル２１の上端部が連結されている。
この頭繋ぎ材２２上には笠木２３が取り付けられており、笠木２３は頭繋ぎ材２２の長手方向に長尺なものであり、その幅方向の一方の側はパラペット２の外装材１２の上端部を覆っている。
【００１９】
また、パラペット２を構成する壁パネル２１の下端部裏面側、すなわち、建物の内側の面材２１２の下端部には小屋裏を換気するための換気穴２１２aが形成されている。
この換気穴２１２aの位置は、図２に示すように、建物本体１の外壁１０を構成する壁パネル１１に形成された締結穴１１２aの締め付け位置に合わせて（つまり、締結穴１１２aの直上に位置するように）所定間隔で形成されている。したがって、小屋裏の空気がこの換気穴２１２aを介してパラペット２を構成する壁パネル２１内を通り、笠木２３から外側へと換気されるようになっている（図１中矢印Ｘで示す）。
また、これらパラペット２を構成する壁パネル２１と、建物本体１の外壁１０を構成する壁パネル１１とは、換気穴２１２aや締結穴１１２aを介して、各壁パネル２１、１１の框材２１１、１１１どうしに挿通された胴差ボルトＢにナットＮが締結されることによって連結されている。さらに、パラペット２の下端部と建物本体１の上端部との連結部分における表面には、鋼板１５（補強材）がスクリュー釘（図示しない）等により取り付けられている。
このように連結されたパラペット２は、例えば建物本体１を平面視した場合において外壁１０に沿って形成されている。
【００２０】
建物本体１の上部に設けられている屋根３は、複数の屋根パネル３１を横方向に接合することによって構成されている。
屋根パネル３１は框材３１１を矩形枠状に組み立ててなる矩形枠の表面（上面）に合板等の面材３１２を取り付けたものである。このような複数の屋根パネル３１は、軒先部側に向けて下方に傾斜するように、パラペット２の下端部裏面に固定された２つの支持桁材３２によって支持されている。
支持桁材３２は屋根３の軒先部に沿って長尺な角材であり、パラペット２を構成する壁パネル２１の框材２１１にスクリュー釘（図示しない）によって固定されている。また、支持桁材３２は、外壁１０を構成する壁パネル１１の上端部にもスクリュー釘（図示しない）によって固定されている。したがって、このような支持桁材３２に屋根３の軒先部の下面が設置されることで屋根パネル３１が支持されている。
【００２１】
また、屋根パネル３１の上面には、屋根パネル３１の傾斜面に沿って合板等の傾斜面形成部材３３が取り付けられており、軒先部の上面には合板等の水平面形成部材３４が取り付けられている。
水平面形成部材３４は、傾斜面形成部材３３とパラペット２の裏面に当接するように設置され、上面からスクリュー釘（図示しない）を屋根パネル３の框材３１１に打ち込むことによって屋根の軒先部の上面に固定されている。
【００２２】
また、屋根３の下方には天井４が水平に設けられている。この天井４は石膏ボード４１と、石膏ボード４１の上面に所定間隔で設けられた芯材４２と、芯材４２上に設けられた断熱材４３とによって形成されている。芯材４２は、屋根３の軒先部に沿って長尺な角材である。そして、天井４の端部は、該端部に位置する芯材４２が外壁１０を構成する壁パネル１１の上端部裏面に固定されることで取り付けられている。
そして、この断熱材４３が設けられた外壁１０を構成する壁パネル１１の上端部裏面の直上に、上述の締結穴１１２aが位置している。
【００２３】
次に、本発明に係るパラペットの連結方法について説明する。
外壁１０を構成する壁パネル１１の上端部にパラペット２を構成する壁パネル２１を配置する。そして、建物の内側から、締結穴１１２aや換気穴２１２aを介して、外壁１０を構成する壁パネル１１の框材１１１と、パラペット２を構成する壁パネル２１の框材２１１とに挿通されている胴差ボルトＢにナットＮを締結することによって、壁パネル１１、２１を連結する。
このように連結した後、その連結部分の裏面側に２つの支持桁３２をスクリュー釘によって固定する。続いて、支持桁３２上に屋根パネル３１を、その軒先部側の端部が下方に傾斜するように配置し、スクリュー釘（図示しない）を打ち込むことによって取り付ける。
さらに、屋根パネル３１の上面に、傾斜面形成部材３２及び水平面形成部材３３を、それぞれスクリュー釘を打ち込むことによって取り付ける。
【００２４】
一方、建物の外側においては、外壁１０を構成する壁パネル１１の框材１１１とパラペット２を構成する壁パネル２１の框材２１１との連結部分の表面に鋼板１５をスクリュー釘（図示しない）を打ち込むことによって取り付ける。また、外壁１０を構成する壁パネル１１の表面と、パラペット２を構成する壁パネル２１の表面とに、所定間隔で胴縁１３を取り付けていく。さらに、その表面に、外装材１２をタイル１２a間の目地１２bから胴縁１３にスクリュー釘を打ち込むことによって外装材１２を固定する。
なお、建物本体１の外壁１０を構成する外装材１２と、パラペット２を構成する外装材１２との継ぎ目部分において、胴縁１３の表面にシーリング剤１６でシーリングすることが好ましい。
【００２５】
以上、本発明の実施の形態によれば、建物本体１の上端部裏面側に、パラペット２と連結するための締結穴１１２aが形成され、パラペット２の下端部裏面側に軒先部の換気を行う換気穴２１２aが、締結穴１１２aの締め付け位置に合わせて形成されているので、この換気穴２１２aによって屋根３の軒先部における換気を行うことができるだけでなく、換気穴２１２aを締結穴に代用することができる。すなわち、これら換気穴２１２a及び締結穴１１２aを介して、建物本体１とパラペット２とを連結することができる。したがって、図３に示す従来のように、換気穴６１bの他に個別に締結穴６１aをパラペット６の下端部表面側に設ける必要がないので、作業の簡略化を図ることができ、また、建物本体１とパラペット２とを連結する際に、締結作業を建物の内側のみから行うことができるので、この点においても作業が容易となる。
また、パラペット２の下端部と建物本体１の上端部との連結部分における表面に鋼板１５が設けられているので、その連結部分における補強がなされる。また、図３の従来のようにパラペット６の表面側に締結穴６１aを形成する必要がないことから、締結後、その締結穴６１aを鋼板５５によって塞ぐ必要もない。しかも、この鋼板１５を、図３に示す従来のようにパラペット６の表面側に形成された締結穴６１aを塞ぐために、その面積を大きくすることもない。これに伴って、外装材１２を釘等で打ち込む場合に影響を与えることがなく、取り付けをスムーズに行えコスト削減を図ることができる。
【００２６】
さらに、パラペット２を、框材２１１と面材２１２とを備えた壁パネル２１としておき、さらに換気穴２１２aを裏面側の面材２１２に形成し、このように予めパネル化しておくことによって、建物本体１上にパラペット２をスムーズに連結でき工期を短縮できる。
【００２７】
なお、本発明は、上記実施の形態に限定されるものではなく、その要旨を逸脱しない範囲で適宜変更可能である。
例えば、屋根３の上面、すなわち、傾斜面形成部材３４と水平面形成部材３３との上面に、この上面全体を覆うようにして防水シート（図示しない）を取り付け、さらに、この防水シートの先端をパラペット２の裏面から上端部まで延出するようにして取り付けても良い。これによって屋根３の軒先部とパラペット２との接合部の防水を確実に行うことができる。
また、建物本体１の上端部（締結穴１１２aの下方）（図１中Ａ部分）に、小屋裏換気フードを設置するためにスリーブを取り付けても構わない。
【図面の簡単な説明】
【００２８】
【図１】本発明の実施の形態を示すためのもので、パラペットの連結構造の一例を示した側断面図である。
【図２】同、図１中、外壁及びパラペットを裏面側から見た際の締結穴及び換気穴の位置関係を示した断面図である。
【図３】従来例を示すためのもので、パラペットの連結構造の一例を示した側断面図である。
【符号の説明】
【００２９】
１  建物本体
２  パラペット
３  屋根
１２  外装材
１５  鋼板（補強材）
１１２a  締結穴
２１１  框材
２１２  面材
２１２a  換気穴
【図１】
2005194816.tif 000003
【図２】
2005194816.tif 000004
【図３】
2005194816.tif 000005